(57)【要約】【課題】ごく一部の番組だけが非イベント共有番組でほとんどがイベント共有番組の場合、番組表には複数のチャンネルでほぼ同じ番組内容が表示される。また、表示するたびに表示されるチャンネルの並びが変わったり、時間軸方向にスクロールしたときに表示されるチャンネルの並びが頻繁に変わったりしていた。【解決手段】番組一致量閾値２０１と番組一致量判定部２０２を有し、異なる内容の番組数が設定した閾値を超えているか判定を行うことにより、異なる内容の番組数がある閾値より少ないチャンネルの番組表表示をスキップすることができる。【選択図】図１
2006295579.tif 000002
【特許請求の範囲】
【請求項１】
番組の一致を判定する番組一致判定部と、
番組一致数判定のための閾値を持つ番組一致量閾値と、
番組一致数が基準を超えたか判定する番組一致量判定部と、
判定結果にしたがって番組表のチャンネル表示を抑制するチャンネル表示制御部を備えた
電子番組表表示装置
【請求項２】
番組一致合計時間についての閾値も持つ番組一致量閾値と、
番組一致合計時間が基準を超えたかについても判定する番組一致量判定部を備えた
請求項１記載の電子番組表表示装置
【請求項３】
番組一致量閾値を変更するユーザインタフェースを備えた
請求項１記載の電子番組表表示装置
【請求項４】
チャンネル表示抑制を判定する時間軸方向の範囲を表示時間帯より増やした
請求項１記載の電子番組表表示装置
【請求項５】
番組の一致数を元に番組表のチャンネル表示を制御する番組表表示方法
【請求項６】
番組の一致合計時間を元に番組表のチャンネル表示を抑制する番組表表示方法
【請求項７】
チャンネル表示の抑制を判定する時間軸方向の範囲を表示時間帯より増やした
請求項５記載の番組表表示方法
【発明の詳細な説明】
【技術分野】
【０００１】
本発明は、番組の放送内容に関するデータを加工して、テレビや携帯電話、パソコン等に電子番組表を提示する電子番組表表示装置に関するものである。
【背景技術】
【０００２】
近年、デジタル放送の増加によって電子番組表はより多くのチャンネルを表示するようになってきた。デジタル放送ではまだら放送という、複数チャンネルの割り当てを通常解像度の複数番組で構成したり、高解像度の１番組で構成したりする放送がある。後者の場合、複数のチャンネルで同じ番組が放送されるイベント共有番組となる。
【０００３】
後者の複数チャンネルを１番組で構成する放送は多く、１日の番組のうち数番組を除いて全てイベント共有番組であるチャンネルも少なくない。この場合、番組表には複数チャンネルでほとんど同じ番組タイトルが並んだ状態になる。
【０００４】
従来の電子番組表表示装置は、番組表の表示時間帯の範囲で同一内容の番組であるかを判定し、全て同じ内容の番組であればチャンネル表示をスキップしているものがある。（例えば、特許文献１参照）。
【０００５】
図３は、前記特許文献１に記載された従来の電子番組表表示装置の概略構成図である。図３において、番組情報管理部１０１は放送局から送られてくる番組情報を管理しており、番組一致判定部１０２は２つのチャンネルの番組名と開始終了時刻の一致、またはイベント共有番組の有無によって同じ番組であるか判定し、チャンネル表示制御部１０３は全て同じ番組である場合にチャンネルの表示をスキップしていた。
【特許文献１】特開２００４−２０８１８７号公報
【発明の開示】
【発明が解決しようとする課題】
【０００６】
しかしながら、前記従来の構成では、ほとんどがイベント共有番組で一部の番組だけが異なるチャンネルにおいて、番組表のチャンネルはスキップされず、ほとんど同じ番組内容のチャンネルが多数表示されることがあった。
【０００７】
また、時間軸方向にスクロールしたときに、表示される時間帯内のイベント共有でない番組の有無が変わるため、表示されるチャンネルの並びが頻繁に変わったり、番組表を表示するたびに表示されるチャンネルの並びが変わったりするという課題を有していた。
【０００８】
本発明は、前記従来の課題を解決するもので、一部の番組だけが異なりほとんどが同じ番組でもチャンネルをスキップできる電子番組表表示装置を提供することを目的とする。
【課題を解決するための手段】
【０００９】
前記従来の課題を解決するために、本発明の電子番組表表示装置は異なる内容の番組数が基準値を超えたか判定する番組一致量判定部と、基準値となる番組一致量閾値とを有し、異なる内容の番組数が基準値なる閾値より少ないか判定を行い、閾値より少ない場合は番組表のチャンネル表示をスキップさせる。
【００１０】
本構成によって、異なる内容の番組数が閾値より少ないチャンネルの番組表表示をスキップさせることができる。
【００１１】
また、本発明の電子番組表表示装置は、番組の一致を判定する時間帯の範囲を表示時間帯より大きくし、表示開始時間が変わっても番組一致を判定する時間帯の範囲をなるべく変更しないようにすることで、番組表の表示時間帯をスクロールして変えても、異なる内容の番組数の変化を少なくでき、スキップするチャンネルの変化を減らすことができる。
【発明の効果】
【００１２】
本発明の電子番組表表示装置によれば、異なる内容の番組が少ないチャンネルをスキップすることで、情報量の多い他のチャンネルを優先して表示させることができ、かつそれをユーザの要望に合せて制御させることができる。
【００１３】
また、番組表をスクロールさせるたびにチャンネルの並びが頻繁に変わるのを防ぐことができる。
【発明を実施するための最良の形態】
【００１４】
以下本発明を実施するための最良の形態について、図面を参照しながら説明する。
【００１５】
（実施の形態１）
図１は、本発明の実施の形態１における電子番組表表示装置の概略構成図である。図１において、図３と同じ構成要素については同じ符号を用い説明を省略する。
【００１６】
図１において、番組一致量閾値２０１は異なる内容の番組数の閾値で、一定の初期値を持ち、ユーザが変更できるようにしてある。番組一致量判定部２０２は番組一致判定対象の時間帯の中で異なる内容の番組数が、番組一致量閾値２０１より少ないか判定するもので、少ない場合、チャンネル表示制御部１０３で番組表のチャンネル表示をスキップする。
【００１７】
また、番組一致判定対象の時間帯を番組表表示時間帯でなく、表示時間帯を含む半日単位の１日分とすることによって、番組表を時間軸方向にスクロールする時に２つのチャンネルの間で異なる内容の番組数が頻繁に変わることを避けることができる。
【００１８】
かかる構成によれば、異なる内容の番組数が閾値より少ないチャンネルの番組表表示をスキップすることにより、情報量の多い他のチャンネルを優先して表示することができるとともに、スクロールや、番組表表示するたびに表示されるチャンネルの並びが変わるのを防ぐことができる。
【００１９】
また、ユーザが番組一致量閾値２０１を自由に変更できるユーザインタフェースを用意し、値を変えたり、一時的に０や無限大にすることによって、ユーザの要望どおりの適切な値に変えたり、一時的に必ずスキップさせたり、必ず表示させるよう制御が可能となる。  
【００２０】
なお、本実施の形態において、番組一致量判定部で番組の一致数で判定したが、番組一致合計時間を用いて判定しても良い。
【００２１】
また、番組一致量判定部で番組一致数と番組一致合計時間の両方を使って判定しても良い。
【００２２】
また、毎回表示チャンネルを判定せず、番組表表示開始時だけ判定したりしても良い。
【産業上の利用可能性】
【００２３】
本発明にかかる電子番組表表示装置はイベント共有番組でもチャンネル表示の重複が少ない番組表表示が可能になるので、テレビや携帯電話、パソコン等で有用である。
【図面の簡単な説明】
【００２４】
【図１】本発明の実施形態１における電子番組表表示装置の概略構成図
【図２】本発明の実施形態２における電子番組表表示装置の番組表表示の例を示す図
【図３】従来の電子番組表表示装置の概略構成図
【符号の説明】
【００２５】
１０１    番組情報管理部
１０２    番組一致判定部
１０３    チャンネル表示制御部
２０１    番組一致量閾値
２０２    番組一致量判定部
【図１】
2006295579.tif 000003
【図２】
2006295579.tif 000004
【図３】
2006295579.tif 000005